(57)【要約】【課題】  収容する液体内容物を注ぎ易く、且つ最後まで容易に注ぐことができるようにするとともに、口栓に直接口を付けて飲み易くし、併せて優れた意匠性を発揮できる口栓付液体用紙容器を得る。【解決手段】  上部を開口する有底筒状に形成された紙容器本体１の開口部２に口栓３を備えた口栓付液体用紙容器であって、紙容器本体１に開口端縁４ａを底辺６とする三角形７ａ，７ｂを形成する２本の折線８，９を形成し、一方の折線８を山折りし他方の折線９を谷折りして三角形７ａ，７ｂの内面側を対向する筒壁５の内面に接着して形成された三角形状の折り畳み部１０を、紙容器本体１の開口部２の周方向に間隔を空けて外方へ突出するように設け、紙容器本体１の開口部２と口栓３の筒状挿入部３６とを接着した。【選択図】    図１
2018095284.tif 000002
【特許請求の範囲】
【請求項１】
紙基材の表裏両面の最外層に熱可塑性樹脂層が積層されている紙容器素材で上部を開口する有底筒状に形成された紙容器本体の開口部に口栓を備えた口栓付液体用紙容器であって、
前記紙容器本体には、その筒壁に筒部の開口端縁を底辺とする三角形を形成する２本の折線が形成され、一方の折線が山折りされ他方の折線が谷折りされて前記三角形の内面側が対向する筒壁の内面に接着されて形成された三角形状の折り畳み部が、前記紙容器本体の開口部の周方向に間隔を空けて外方へ突出するように設けられており、前記口栓は、前記紙容器本体の前記開口部内に挿入される筒状挿入部を有し、前記紙容器本体の前記開口部と前記口栓の筒状挿入部とが接着されていることを特徴とする口栓付液体用紙容器。
【請求項２】
前記紙容器本体に設けられた前記折り畳み部は、前記三角形の外面側が対向する筒壁の外面に接着されていることを特徴とする請求項１に記載の口栓付液体用紙容器。
【請求項３】
前記口栓には、前記紙容器本体の開口部の開口端に当接し接着される鍔状部が設けられていることを特徴とする請求項１または２に記載の口栓付液体用紙容器。
【発明の詳細な説明】
【技術分野】
【０００１】
本発明は、牛乳やジュース等の飲料、その他ジェル状物を含む液体内容物を収容する口栓付液体用紙容器に関する。
【背景技術】
【０００２】
従来、牛乳やジュース等の飲料、その他ジェル状物を含む液体内容物を収容する口栓付液体用紙容器として、板紙基材の表裏両面に熱可塑性樹脂を積層した紙容器材料より有底の胴部とその上を閉塞する頂部とで構成される、例えばゲーブルトップ型やブリック型に代表される紙容器本体が形成され、前記頂部の平面部に樹脂製の口栓が、該口栓のフランジ部を該頂部の平面部表面に液密に固定して設けられている口栓付液体用紙容器がある（例えば特許文献１，２参照。）。
【０００３】
このような口栓付液体用紙容器は、紙容器を切ったり破いたり、または穴を開けたりすることなく、口栓を開栓することにより収容した液体内容物を取り出すことができる。
口栓付液体用紙容器に収容した液体内容物が牛乳やジュース等の飲料である場合、開栓した口栓から飲料をコップなどに注いで移し替えて飲用するといったことが一般的であるが、口栓に口を付け紙容器から飲料を直接飲用するといったこともある。
【先行技術文献】
【特許文献】
【０００４】
【特許文献１】特開２００９−７０１７号公報
【特許文献２】特開２０１４−２２７１８９号公報
【発明の概要】
【発明が解決しようとする課題】
【０００５】
しかしながら、特許文献１，２に記載されているような口栓付液体用紙容器は、口栓が設けられている頂部は傾斜している平面部或いは水平な平面部となっているため、例えば、液体内容物が牛乳やジュース等の飲料である場合、口栓の高さが低いと開栓した口栓から飲料をコップに注ぐ際、コップが紙容器の頂部と胴部の角部に当たり注ぎ難い。そのためコップを口栓から離した位置に置き、コップに飲料を注ぐといったことが行われているが、コップが口栓から離れているため注意しないと零してしまうおそれがあるといった問題があった。
【０００６】
また、収容されている飲料を最後まで注ぎ出し難く、紙容器内に残ってしまい無駄にしてしまうといった問題があった。また、口栓に口を付け紙容器から飲料を直接飲用する場合も、口栓に口を付けたとき鼻やあごが紙容器の頂部と胴部の角部に当たり、飲みにくいといった問題があった。
【０００７】
このような問題点を解決する手段として、口栓の高さを高くすることが考えられるが、口栓の高さを高くすると口栓付液体用紙容器の搬送等の障害になり、またコストアップの要因にもなるといった問題がある。
【０００８】
本発明者は、上記問題を解決するために、口栓付液体用紙容器の上部をボトル状にすることに着目し、研究を重ねた結果、本発明をするに至った。
【０００９】
本発明の目的は、収容する液体内容物を注ぎ易く、且つ最後まで容易に注ぐことができるようにするとともに、口栓に直接口を付けて飲み易くし、併せて優れた意匠性を発揮できる口栓付液体用紙容器を提供することにある。
【課題を解決するための手段】
【００１０】
上記の目的を達成するために、請求項１に記載の発明は、紙基材の表裏両面の最外層に熱可塑性樹脂層が積層されている紙容器素材で上部を開口する有底筒状に形成された紙容器本体の開口部に口栓を備えた口栓付液体用紙容器であって、前記紙容器本体には、その筒壁に筒部の開口端縁を底辺とする三角形を形成する２本の折線が形成され、一方の折線が山折りされ他方の折線が谷折りされて前記三角形の内面側が対向する筒壁の内面に接着されて形成された三角形状の折り畳み部が、前記紙容器本体の開口部の周方向に間隔を空けて外方へ突出するように設けられており、前記口栓は、前記紙容器本体の前記開口部内に挿入される筒状挿入部を有し、前記紙容器本体の前記開口部と前記口栓の筒状挿入部とが接着されていることを特徴とする。
【００１１】
請求項１に記載の発明によれば、前記紙容器本体は、前記筒部の開口端縁を底辺とする三角形を形成する２本の折線の一方の折線を山折りし、他方の折線を谷折りして前記三角形の内面側が対向する筒壁の内面に接着して三角形状の折り畳み部を形成したので、前記紙容器本体を、前記折り畳み部の三角形状の頂部から前記口栓を備える前記開口部方向に向かって内径が円錐状に縮径するボトル状に容易に形成することができる。
これにより開栓した前記口栓から飲料内容物をコップに注ぐ際、コップを前記口栓に接近させて注ぐことができるので注ぎ易く、また、最後まで容易に注ぎ出し切ることができ、また、前記口栓に直接口をつけて液体内容物を飲む際にも、鼻や顎が紙容器にぶつかるといったことがなく、容易に液体内容物を飲むことができる。
【００１２】
また、前記紙容器本体は、その筒壁に筒部の開口端縁を底辺とする三角形を形成する２本の折線が形成され、一方の折線が山折りされ他方の折線が谷折りされて前記三角形の内面側が対向する筒壁の内面に接着されて形成された三角形状の前記折り畳み部が、前記紙容器本体の開口部の周方向に間隔を空けて外方へ突出するように設けられているので、外方へ突出する前記折り畳み部が独特の美観を発揮し、意匠性の高い口栓付液体用紙容器を得ることができる。
【００１３】
また、前記筒部の開口端縁を底辺とする三角形の底辺の長さや頂部の位置などを調整することにより、前記筒部が前記開口部方向に向かって円錐状に縮径する度合いを容易に調整することができ、口栓付液体用紙容器の形状を容易に望んだ形状とすることができる。
【００１４】
請求項２に記載の発明は、請求項１に記載の、前記紙容器本体に設けられた前記折り畳み部は、前記三角形の外面側が対向する筒壁の外面に接着されていることを特徴とする。
【００１５】
請求項２に記載の発明によれば、前記紙容器本体に設けられた前記折り畳み部は、前記三角形の外面側が対向する筒壁の外面に接着されているので、前記紙容器本体に設けられた前記折り畳み部が、滑らかさと安定したリズム感を醸し出して独特の美観を発揮し、意匠性の一層高い口栓付液体用紙容器を得ることができる。
【００１６】
請求項３に記載の発明は、請求項１または２に記載の、前記口栓には、前記紙容器本体の開口部の開口端に当接し接着される鍔状部が設けられていることを特徴とする。
【００１７】
請求項３に記載の発明によれば、前記口栓には、前記紙容器本体の開口部の開口端に当接し接着される鍔状部が設けられているので、前記紙容器本体に収容されている液体内容物が前記紙容器本体の開口部の開口端から外に漏れることを確実に防ぐことができる。
【発明の効果】
【００１８】
本発明に係る口栓付液体用紙容器によれば、その形状をボトル状とすることができ、開栓した口栓から液体内容物をコップに注ぐ際、コップを口栓に接近させて注ぐことができるので注ぎ易く、また、口栓に直接口をつけて液体内容物を飲む際にも、鼻や顎が紙容器にぶつかるといったことがなく、容易に液体内容物を飲むことができる。
【００１９】
また、紙容器本体は、開口部の周方向に間隔を空けて外方へ突出するように設けられている折り畳み部が独特の美観を発揮し、意匠性の高い口栓付液体用紙容器を得ることができる。
【図面の簡単な説明】
【００２０】
【図１】本発明に係る口栓付液体用紙容器の実施の形態の第１例を示す斜視図である。
【図２】図１に示す紙容器本体の開口部の拡大斜視図である。
【図３】図１に示す紙容器本体の展開図である。
【図４】図１に示す口栓の一部縦断正面図である。
【図５】本発明に係る口栓付液体用紙容器の実施の形態の第２例であり、紙容器本体の開口部を示す拡大斜視図である。
【図６】本発明に係る口栓付液体用紙容器の実施の形態の第３例を示す斜視図である。
【図７】図６に示す紙容器本体の筒部の展開図である。
【発明を実施するための形態】
【００２１】
以下、本発明に係る口栓付液体用紙容器の実施の形態の一例を、図面を参照して詳細に説明する。
図１乃至図４は本発明に係る口栓付液体用紙容器の実施の形態の第１例を示し、図１は本例の口栓付液体用紙容器を示す斜視図、図２は図１に示す紙容器本体の開口部の拡大斜視図、図３は図１に示す紙容器本体の展開図、図４は図１に示す口栓の一部縦断正面図である。
【００２２】
第１例の口栓付液体用紙容器は、紙基材の表裏両面の最外層に熱可塑性樹脂層が積層されている紙容器素材で上部を開口する有底筒状に形成された紙容器本体１の開口部２に口栓３を備えている。
紙容器本体１は、筒壁５に筒部４の開口端縁４ａを底辺６とする三角形７を形成する２本の折線８，９が形成され、一方の折線８が山折りされ他方の折線９が谷折りされて三角形７の内面側が対向する筒壁５の内面に接着されて形成された三角形状の折り畳み部１０が、紙容器本体１の開口部２の周方向に間隔を空けて外方へ突出するように設けられている。
【００２３】
更に詳細には、第１例の紙容器本体１は、図４に示される展開構造を有するカートンブランクス１１によって組み立てられる。
カートンブランクス１１は、筒部４となる筒部縦折線１２，１３，１４を介して４つの筒壁パネル１５，１６，１７，１８を備え、筒壁パネル１８にシール縦折線１９を介して縦方向シールパネル２０が連設されている。筒壁パネル１５，１６，１７，１８の上端２１は、組み立てられた筒部４の開口端縁４ａとなる。
【００２４】
筒壁パネル１５，１６，１７には、組み立てられた筒部４の開口端縁４ａ、即ち、筒壁パネル１５，１６，１７の上端２１を底辺６とし、筒部縦折線１２，１３，１４の所定の位置を頂部２２とする三角形７ａを形成する２本の折線８，９が形成されている。本例では、折線８は筒部縦折線１２，１３，１４と重なるように形成されており、折線９は筒壁パネル１５，１６，１７上に形成されている。
【００２５】
また、筒壁パネル１８には、筒壁パネル１８の上端２１を底辺６とし、シール縦折線１９の所定の位置を頂部２２とする三角形７ａを形成する２本の折線８，９が形成されている。本例では、折線８はシール縦折線１９と重なるように形成されており、折線９は筒壁パネル１８上に形成されている。
【００２６】
更に、筒壁パネル１５，１６，１７，１８には、三角形７ａの間に位置して、筒壁パネル１５，１６，１７，１８の上端２１を底辺６とし、筒壁パネル１５，１６，１７，１８上の所定の位置を頂部２２とする三角形７ｂを形成する２本の折線８，９が形成されている。
本例では、頂部２２は筒壁パネル１５，１６，１７，１８の幅方向の中央で、且つ三角形７ａの頂部２２と同じ高さの位置に設定されている。また、三角形７ｂを形成する折線８は三角形７ａを形成する折線８と、そして三角形７ｂを形成する折線９は三角形７ａを形成する折線９と平行に形成されている。各三角形７ａ，７ｂは全て同じ形状、同じ大きさとなっており、筒壁パネル１５，１６，１７，１８の上端２１に沿って等間隔を空けて配置されている。
【００２７】
筒壁パネル１５，１７の下端には、底部横折線２３，２４を介して互いに対向する一対の外側底部パネル２５，２６が連設され、筒壁パネル１６，１８の下端には、底部横折線２７，２８を介して互いに対向する一対の内側底部パネル２９，３０が連設されている。
【００２８】
このような展開構造を有するカートンブランクス１１による第１例の紙容器本体１の組み立ては、先ず、筒部縦折線１２，１３，１４及びシール縦折線１９を山折りして縦方向シールパネル２０を筒壁パネル１５の縦縁にシールすることにより、四角の筒部４を形成する。
【００２９】
次に、筒部４における筒壁パネル１６，１８の下端に連設されている一対の内側底部パネル２９，３０の外側に、筒壁パネル１５，１７の下端に連設されている一対の外側底部パネル２５，２６が折り畳まれてシールされて密封されることによって底部３１を形成する。
【００３０】
次に、三角形７ａ，７ｂを形成する２本の折線８，９のうちの折線８を山折りし、折線９を谷折りして三角形７ａの内面側を対向する筒壁５の内面に接着して三角形状の折り畳み部１０を形成する。
このようにして、筒壁５を折り畳んだ折り畳み部１０が容器本体１の開口部２の周方向に間隔を空けて外方へ突出するように形成された紙容器本体１が組み立てられる（図２参照。）。
【００３１】
紙容器本体１の開口部２に備えられる口栓３にあっては、合成樹脂製のスパウト３２とキャップ３３から構成されている。スパウト３２は外周面にねじ部３４を有し、キャップ３３は内周面にねじ部３４に螺合するねじ部３５を有しており、スパウト３２の外周にキャップ３３が螺着している。
【００３２】
スパウト３２は、紙容器本体１の開口部２内に挿入される筒状挿入部３６を有している。筒状挿入部３６の上部外周には紙容器本体１の開口部２の開口端２ａに当接し接着される鍔状部３７が設けられている。鍔状部３７の外径は紙容器本体１の開口部２の開口端２ａとなる折り畳み部１０の端部１０ａに当接する長さとなっている。
【００３３】
このように構成された口栓３は紙容器本体１の開口部２へ次のようにして取り付けられる。
先ず、口栓３の筒状挿入部３６を紙容器本体１の開口部２内へ挿入し、筒状挿入部３６の上部外周に設けられている鍔状部３７を紙容器本体１の開口部２の開口端２ａに当接させる。
【００３４】
この状態から、紙容器本体１の開口部２と口栓３の筒状挿入部３６とを、そして、紙容器本体１の開口部２の開口端２ａと筒状挿入部３６の上部外周に設けられている鍔状部３７とをそれぞれ溶着して固定する。
【００３５】
このようにして、筒壁５を折り畳んだ折り畳み部１０が外方へ突出するように形成された紙容器本体１の開口部２に口栓３を備えた口栓付液体用紙容器が組み立てられる。
組み立てられた口栓付液体用紙容器にあっては、紙容器本体１における筒部４の開口端縁４ａを底辺６とする三角形７ａ，７ｂを形成する２本の折線８，９のうちの折線８を山折りし、折線９を谷折りして三角形７ａ，７ｂの内面側を対向する筒壁５の内面に接着して三角形状の折り畳み部１０を形成したので、紙容器本体１は、折り畳み部１０の三角形状の頂部２２から口栓３を備える開口部２方向に向かって内径が円錐状に縮径するボトル状となる。
【００３６】
また、本例では紙容器本体１の下部は四角の筒部４となっているので、例えば、円筒形状のボトル容器と比較して、省スペースであることを確保しながら収容量を多くすることが可能となる。
【００３７】
図５は本発明に係る口栓付液体用紙容器の実施の形態の第２例であり、紙容器本体の開口部を示す拡大斜視図である。
第２例の口栓付液体用紙容器について、第１例と同一の構成については同一の符号を付してその説明を省略する。
【００３８】
第２例の口栓付液体用紙容器は、基本的構成において第１例と同一（展開形状が同一）であり、第１例との違いは、紙容器本体１における筒部４の開口端縁４ａを底辺６とする三角形７ａ，７ｂを形成する２本の折線８，９のうちの折線８を山折りし、折線９を谷折りして三角形７ａ，７ｂの内面側を対向する筒壁５の内面に接着して形成した三角形状の折り畳み部１０を、三角形７ａ，７ｂの外面側を対向する筒壁５の外面に接着したところにある（図５参照。）。
【００３９】
このように構成された紙容器本体１の開口部２へ口栓３を取り付けることにより、口栓付液体用紙容器が組み立てられる。紙容器本体１の開口部２への口栓３の取り付けは、第１例と変わるところが無く、第１例の説明を援用する。
【００４０】
組み立てられた口栓付液体用紙容器にあっては、第１例と同様に、紙容器本体１における筒部４の開口端縁４ａを底辺６とする三角形７ａ，７ｂを形成する２本の折線８，９のうちの折線８を山折りし、折線９を谷折りして三角形７ａ，７ｂの内面側を対向する筒壁５の内面に接着して三角形状の折り畳み部１０を形成したので、紙容器本体１は、折り畳み部１０の三角形状の頂部２２から口栓３を備える開口部２方向に向かって内径が円錐状に縮径するボトル状となる。
【００４１】
また、本例も第１例と同様に、紙容器本体１の下部は四角の筒部４となっているので、例えば、円筒形状のボトル容器と比較して、省スペースであることを確保しながら収容量を多くすることが可能となる。
【００４２】
図６は本発明に係る口栓付液体用紙容器の実施の形態の第３例を示す斜視図、図７は図６に示す紙容器本体の筒部の展開図である。
第３例の口栓付液体用紙容器について、第１例と同一の構成については同一の符号を付してその説明を省略し、第１例と異なる構成についてのみ説明する。
【００４３】
第３例の口栓付液体用紙容器と第１例との違いは紙容器本体１にあり、本例の紙容器本体１は、円筒状の筒部４と、筒部４とは別体に構成されて筒部４の下側開口部に固定される底部３１とからなる。
円筒状の筒部４は、図７に示される展開構造を有する紙基材の表裏両面の最外層に熱可塑性樹脂層が積層されている矩形状のシート３８により形成される。シート３８の上端３９は、シート３８が筒部４に形成されたとき筒部４の開口端縁４ａとなる。
【００４４】
シート３８には、その上端３９を底辺６とする複数の三角形７を形成する２本の折線８，９が形成されている。折線８，９で形成される三角形７は、上端３９に沿って等間隔を空けて設けられている。各三角形８は全て同じ形状、同じ大きさとなっており、そして、本例では直角三角形となっている。
【００４５】
このような展開構造を有するシート３８を用いた第３例の紙容器本体１の組み立ては、先ず、シート３８の両側縁を熱溶着して筒部４を形成し、筒部４の下側開口部に底部３１を熱溶着して固定する。
次に、各三角形７を形成する２本の折線８，９のうちの折線８を山折りし、折線９を谷折りして三角形７の内面側を対向する筒壁５の内面に接着して三角形状の折り畳み部１０を形成する。
このようにして、筒壁５を折り畳んだ折り畳み部１０が開口部２の周方向に間隔を空けて外方へ突出するように形成された円筒状の紙容器本体１が組み立てられる。
【００４６】
組み立てられた紙容器本体１の開口部２へ口栓３を取り付けることにより、口栓付液体用紙容器が組み立てられる。紙容器本体１の開口部２への口栓３の取り付けは、第１例と変わるところが無く、第１例の説明を援用する。
【００４７】
組み立てられた口栓付液体用紙容器にあっては、第１例と同様に、紙容器本体１における筒部４の開口端縁４ａを底辺６とする三角形７ａ，７ｂを形成する２本の折線８，９のうちの折線８を山折りし、折線９を谷折りして三角形７ａ，７ｂの内面側を対向する筒壁５の内面に接着して三角形状の折り畳み部１０を形成したので、紙容器本体１は、折り畳み部１０の三角形状の頂部２２から口栓３を備える開口部２方向に向かって内径が円錐状に縮径するボトル状となる。
【符号の説明】
【００４８】
１  紙容器本体
２  開口部
２ａ  開口端
３  口栓
４  筒部
４ａ  開口端縁
５  筒壁
６  底辺
７，７ａ，７ｂ  三角形
８，９  折線
１０  折り畳み部
１０ａ  端部
１１  カートンブランクス
１２，１３，１４  筒部縦折線
１５，１６，１７，１８  筒壁パネル
１９  シール縦折線
２０  縦方向シールパネル
２１  上端
２２  頂部
２３，２４，２７，２８  底部横折線
２５，２６  外側底部パネル
２９，３０  内側底部パネル
３１  底部
３２  スパウト
３３  キャップ
３４，３５  ねじ部
３６  筒状挿入部
３７  鍔状部
３８  シート
３９  上端
【図１】
2018095284.tif 000003
【図２】
2018095284.tif 000004
【図３】
2018095284.tif 000005
【図４】
2018095284.tif 000006
【図５】
2018095284.tif 000007
【図６】
2018095284.tif 000008
【図７】
2018095284.tif 000009